(57)【要約】【課題】本発明は、インターネットから各種の情報をダウンロードして出力することができる電子装置を提供することを目的とする。【解決手段】本発明の電子装置は、処理ユニットと、処理ユニットに接続する入力ユニット、記憶ユニット及びワイヤレスネットワークユニットと、を備え、ワイヤレスネットワークユニットは、ネットサーフィン接続を開閉するために用いられ、処理ユニットは、スケジューリングモジュールと、判定モジュールと、検索モジュールと、ダウンロードモジュールと、を備え、スケジューリングモジュールは、ユーザーの入力操作によって、検索予定時間及び検索内容を含むネットサーフィン情報を予め設定し、判定モジュールは、目下の時間が検索予定時間に一致すると判定信号を生じ、検索モジュールは、判定信号を受信してから検索内容を検索し、ダウンロードモジュールは、検索した内容を電子装置の記憶ユニットにダウンロードする。【選択図】図１
2012027907.tif 000002
【特許請求の範囲】
【請求項１】
処理ユニットと、前記処理ユニットに接続する入力ユニット、記憶ユニット及びワイヤレスネットワークユニットと、を備える電子装置であって、
前記ワイヤレスネットワークユニットは、ネットサーフィン接続を開閉するために用いられ、前記電子装置をインターネットに接続させるか又は前記電子装置とインターネットとの接続を切るために用いられ、
前記処理ユニットは、スケジューリングモジュールと、判定モジュールと、検索モジュールと、ダウンロードモジュールと、を備え、
前記スケジューリングモジュールは、ユーザーの入力操作によって、ネットサーフィン情報を予め設定し且つネットサーフィン情報を保存し、前記ネットサーフィン情報は、検索内容、検索予定時間、検索内容に関するデータを前記電子装置の記憶ユニットにダウンロードするか否かの基準データを備え、
前記判定モジュールは、前記スケジューリングモジュールが設定した検索予定時間を受け取って、目下の時間と前記検索予定時間とをリアルタイムに比較して、目下の時間が前記検索予定時間に一致すると判定信号を生じ、
前記検索モジュールは、前記判定信号を受信してから前記検索内容を検索し、
前記ダウンロードモジュールは、前記ネットサーフィン情報において、検索内容に関するデータを前記電子装置の記憶ユニットにダウンロードすると設定した場合、検索した内容を自動的に前記電子装置の記憶ユニットにダウンロードすることを特徴とする電子装置。
【請求項２】
前記ネットサーフィン情報は、検索内容の関連データを出力するか否かの基準データをさらに備え、
前記処理ユニットは、出力モジュールをさらに備え、前記ネットサーフィン情報において、検索内容の関連データを出力すると設定した場合、前記出力モジュールは検索した関連データを出力することを特徴とする請求項１に記載の電子装置。
【請求項３】
前記電子装置は、前記処理ユニットに接続する表示ユニット及びオーディオ出力ユニットをさらに備え、
前記出力モジュールは、表示情報を前記表示ユニットに表示し、オーディオ情報を前記オーディオ出力ユニットによって出力することを特徴とする請求項２に記載の電子装置。
【請求項４】
前記処理ユニットは、前記電子装置のシステム情報及び待機情報を設定する設定モジュールをさらに備えることを特徴とする請求項１に記載の電子装置。
【請求項５】
前記待機情報は、前記電子装置が予定の時間を越えてユーザーに操作されない場合に待機モードに入って且つ待機モードで行う動作を備えることを特徴とする請求項４に記載の電子装置。
【発明の詳細な説明】
【技術分野】
【０００１】
本発明は、電子装置に関するものであって、特にネットサーフィンすることができる電子装置に関するものである。
【背景技術】
【０００２】
現在、携帯式消費性電子製品は、人々の生活でなければならない一部分になり、例えば、デジタルフォトフレームは、客間又は他の地方に放置する伝統のフォトフレームを取り替えて、デジタルカメラや携帯電話などで撮影したデジタル写真を表示するために用いられる。
【発明の概要】
【発明が解決しようとする課題】
【０００３】
しかし、従来のデジタルフォトフレームは、既存の画像を表示するか又は既存のオーディオ及びビデオなどを放送するだけで、画像、オーディオ及びビデオを更新するためにコンピューターに接続しなければならないので、不便である。また、従来のデジタルフォトフレームによって、インターネットから各種の情報をダウンロードすることができず、ユーザーの需要を満たすことができない。
【０００４】
本発明の目的は、前記課題を解決し、インターネットから各種の情報をダウンロードして出力することができる電子装置を提供することである。
【課題を解決するための手段】
【０００５】
本発明に係る電子装置は、処理ユニットと、前記処理ユニットに接続する入力ユニット、記憶ユニット及びワイヤレスネットワークユニットと、を備え、前記ワイヤレスネットワークユニットは、ネットサーフィン接続を開閉するために用いられ、前記電子装置をインターネットに接続させるか又は前記電子装置とインターネットとの接続を切るために用いられ、前記処理ユニットは、スケジューリングモジュールと、判定モジュールと、検索モジュールと、ダウンロードモジュールと、を備え、前記スケジューリングモジュールは、ユーザーの入力操作によって、ネットサーフィン情報を予め設定し且つネットサーフィン情報を保存し、前記ネットサーフィン情報は、検索内容、検索予定時間、検索内容に関するデータを前記電子装置の記憶ユニットにダウンロードするか否かの基準データを備え、前記判定モジュールは、前記スケジューリングモジュールが設定した検索予定時間を受け取って、目下の時間と前記検索予定時間とをリアルタイムに比較して、目下の時間が前記検索予定時間に一致すると判定信号を生じ、前記検索モジュールは、前記判定信号を受信してから前記検索内容を検索し、前記ダウンロードモジュールは、前記ネットサーフィン情報において、検索内容に関するデータを前記電子装置の記憶ユニットにダウンロードすると設定した場合、検索した内容を自動的に前記電子装置の記憶ユニットにダウンロードする。
【発明の効果】
【０００６】
本発明の電子装置は、ワイヤレスネットワークユニット及び処理ユニットによって、インターネットから各種の情報をダウンロードして出力することができる。
【図面の簡単な説明】
【０００７】
【図１】本発明の実施形態に係る電子装置の構造を示すブロック図である。
【発明を実施するための形態】
【０００８】
以下、図面を参照して、本発明の実施形態について説明する。
【０００９】
図１を参照すると、本発明の実施形態に係る電子装置１は、入力ユニット１０と、記憶ユニット２０と、表示ユニット３０と、オーディオ出力ユニット４０と、ワイヤレスネットワークユニット５０と、処理ユニット６０と、を備える。前記入力ユニット１０、前記記憶ユニット２０、前記表示ユニット３０、前記オーディオ出力ユニット４０及び前記ワイヤレスネットワークユニット５０は、前記処理ユニット６０に電気的に接続される。
【００１０】
前記入力ユニット１０は、ユーザーの入力操作に用いられ、例えば、キーパッド又はタッチパッドである。
【００１１】
前記記憶ユニット２０は、画像、オーディオ及びビデオなどのマルチメディアファイルを保存するために用いられる。本実施形態において、前記記憶ユニット２０は、ＣＦカード又はＳＤカードなどのような挿抜可能なメモリカードである。
【００１２】
前記表示ユニット３０は、画像、ビデオなどを表示するために用いられ、ＬＣＤ表示装置又は電子ペーパー表示装置であることができる。他の実施形態において、前記表示ユニット３０は、タッチスクリーンであることができ、タッチスクリーン上の入力ボタン及びアイコンをタッチするか又は前記入力ユニット１０を操作することと組み合わせて、機能を選択するか又は入力操作を完了する。
【００１３】
前記オーディオ出力ユニット４０は、オーディオ情報を出力するために用いられる。本実施形態において、前記オーディオ出力ユニット４０は、スピーカーである。
【００１４】
前記ワイヤレスネットワークユニット５０は、ネットサーフィン接続を開閉するために用いられ、前記電子装置１をインターネットに接続させるか又は前記電子装置１とインターネットとの接続を切る。本実施形態において、前記ワイヤレスネットワークユニット５０の開閉は、スイッチを操作することによって実現する。他の実施形態において、前記ワイヤレスネットワークユニット５０の開閉は、メニューを選択することにより実現する。
【００１５】
前記処理ユニット６０は、スケジューリングモジュール６０１と、判定モジュール６０２と、検索モジュール６０３と、ダウンロードモジュール６０４と、出力モジュール６０５と、設定モジュール６０６と、を備える。
【００１６】
前記スケジューリングモジュール６０１は、ユーザーの入力操作によって、ネットサーフィン情報を予め設定し、且つネットサーフィン情報を保存するために用いられる。前記ネットサーフィン情報は、ウェブサイト情報、検索内容、検索予定時間、検索内容に関するデータを前記電子装置１の記憶ユニット２０にダウンロードするか否かの基準データ、検索内容の関連データを出力するか否かの基準データ、出力時間などを備える。
【００１７】
前記判定モジュール６０２は、前記スケジューリングモジュール６０１が設定した検索予定時間を受け取って、目下の時間と前記検索予定時間とをリアルタイムに比較して、目下の時間が前記検索予定時間に一致すると判定信号を生じる。
【００１８】
前記検索モジュール６０３は、前記判定信号を受信してから前記検索内容を検索するために用いられ、即ち目下の時間が前記検索時間に一致すると、前記検索モジュール６０３は前記検索内容を自動的に検索する。前記検索モジュール６０３は、ユーザーの前記入力ユニット１０に対する操作によって、対応する内容を検索することもできる。前記検索モジュール６０３が前記スケジューリングモジュール６０１により設定したネットサーフィン情報によって検索機能をスタートオンする場合、前記ネットサーフィン情報が指定したウェブサイトで検索するか、又はあらゆるネットワーク範囲で予め設定した検索内容を検索する。例えば、ユーザーが１週間ごとにある歌手の新しい歌曲を検索するように設定すると、前記検索モジュール６０３は、１週間ごとにユーザーが設定したウェブサイト又はあらゆるネットワーク範囲で前記歌手の新しい歌曲を自動的に検索する。又は、ユーザーが毎日の七時に当日の天気予報を検索するように設定すると、前記検索モジュール６０３は、毎日の七時にユーザーが設定したウェブサイト又はあらゆるネットワーク範囲で当日の天気予報及び関するニュースを自動的に検索する。
【００１９】
前記ダウンロードモジュール６０４は、対応する内容を前記電子装置１の記憶ユニット２０にダウンロードするために用いられ、前記ネットサーフィン情報において、検索内容に関するデータを前記電子装置１の記憶ユニット２０にダウンロードすると設定した場合、検索した内容を自動的に前記電子装置１の記憶ユニット２０にダウンロードする。前記ダウンロードモジュール６０４は、ユーザーの前記入力ユニット１０に対する操作によって、ユーザーが指定する内容をダウンロードすることもできる。
【００２０】
前記出力モジュール６０５は、表示情報を前記表示ユニット３０に表示したり、及びオーディオ情報を前記オーディオ出力ユニット４０によって出力することにする。前記ネットサーフィン情報において、検索内容の関連データを出力すると設定した場合、前記出力モジュール６０５は検索した関連データを出力することにする。例えば、ニュースなどの表示情報を前記表示ユニット３０に表示し、天気予報、歌曲などのオーディオ情報を前記オーディオ出力ユニット４０によって出力する。前記出力モジュール６０５は、ユーザーの前記入力ユニット１０に対する操作によって、対応する内容を出力することができる。
【００２１】
前記設定モジュール６０６は、ユーザーの操作によって前記電子装置１のシステム情報及び待機情報を設定するために用いられる。前記システム情報は、時間、カレンダーなどの情報を備える。前記待機情報は、前記電子装置１が予定の時間を越えてユーザーに操作されない場合に待機モードに入って且つ待機モードで行う動作を備える。
【００２２】
待機モードにおいて、前記出力モジュール６０５は前記待機情報に基づいて関連動作を行い、例えば、ある画像を表示するか、予定時間ごとに表示する画像を替えるか、放送リストの歌曲を循環して放送するか、又は歌曲を放送するとともに画像を表示する。
【００２３】
本実施形態において、前記電子装置１は前記処理ユニット６０に接続される通信ユニット７０をさらに備える。前記通信ユニット７０は、ＵＳＢインターフェースである。前記電子装置１は、前記通信ユニット７０によってコンピューターのような外部の電子装置に通信接続する。
【００２４】
本実施形態において、前記電子装置１は電池を採用して電力供給されるが、他の実施形態において、前記電子装置１は電源に接続して電力供給される。
【００２５】
前記電子装置１のワイヤレスネットワークユニット５０及び処理ユニット６０によって、インターネットから各種の情報をダウンロードして出力することができる。
【００２６】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２７】
１  電子装置
１０  入力ユニット
２０  記憶ユニット
３０  表示ユニット
４０  オーディオ出力ユニット
５０  ワイヤレスネットワークユニット
６０  処理ユニット
７０  通信ユニット
６０１  スケジューリングモジュール
６０２  判定モジュール
６０３  検索モジュール
６０４  ダウンロードモジュール
６０５  出力モジュール
６０６  設定モジュール
【図１】
2012027907.tif 000003